(57)【特許請求の範囲】
【請求項１】
床面に固定され、床に構成された床穴を介して該床の上下で流路を連結させる床固定用管継手であって、
管体が接続される、筒状の継手本体と、
前記継手本体の外周から張り出し、板状とされて板面が前記床面に当接されるフランジ部と、
前記フランジ部に構成され、前記フランジ部を前記床面に固定する止め具が挿入される長穴と、
前記フランジ部の外周に構成され、径方向外側に開放されると共に径方向に長尺とされ、前記止め具が挿入されるスリットと、
前記長穴に挿入された止め具の長手方向への移動を規制する長穴用移動規制部材と、
を備えた床固定用管継手。
【請求項２】
前記スリットに挿入された止め具の長手方向への移動を規制するスリット用移動規制部材、をさらに備えた、請求項１に記載の床固定用管継手。
【請求項３】
床面に固定され、床に構成された床穴を介して該床の上下で流路を連結させる床固定用管継手であって、
管体が接続される、筒状の継手本体と、
前記継手本体の外周から張り出し、板状とされて板面が前記床面に当接されるフランジ部と、
前記フランジ部に構成され、前記フランジ部を前記床面に固定する止め具が挿入される長穴と、
前記フランジ部の外周に構成され、径方向外側に開放されると共に径方向に長尺とされ、前記止め具が挿入されるスリットと、
前記スリットに挿入された止め具の長手方向への移動を規制するスリット用移動規制部材と、
を備えた床固定用管継手。
【発明の詳細な説明】
【技術分野】
【０００１】
本発明は、床固定用管継手に係り、特に床に固定可能な構造を備えた床固定用管継手に関する。
【背景技術】
【０００２】
床下に配設された給水給湯用の樹脂配管（例えば、ポリブテン管）を床上に立ち上げる場合、通常、床の所望の位置に孔（以下、床孔）を形成し、この床孔を通して樹脂配管を床上まで引き出して、樹脂配管の先端にフランジ付き管継手を接続し、その後、床孔から樹脂配管を床下に押し戻し、管継手のフランジを床孔の縁部に載置して、フランジに形成されたビス止め用孔を介して床面にビスを捩じ込んで管継手を床面に固定している（特許文献１参照）。
【０００３】
このようにして、床面に管継手のフランジを固定する場合、フランジに形成されたビス止め用穴との関係で、床穴に対する位置合わせを正確に行う必要があり、施工の効率が上がらないという問題がある。また、床穴の径が大きい場合には、ビス止め用穴が床穴と接近したり重なってしまったりして、ビスによる固定を確実に行えないという問題がある。
【先行技術文献】
【特許文献】
【０００４】
【特許文献１】特開２００１−９９３６７号公報
【発明の概要】
【発明が解決しようとする課題】
【０００５】
本発明は、上記問題点に鑑みてなされたものであり、施工が行いやすく、より確実に固定可能な床固定用管継手を提供することを目的とする。
【課題を解決するための手段】
【０００６】
本発明の請求項１に記載の床固定用管継手は、床面に固定され、床に構成された床穴を介して該床の上下で流路を連結させる床固定用管継手であって、管体が接続される、筒状の継手本体と、前記継手本体の外周から張り出し、板状とされて板面が前記床面に当接されるフランジ部と、前記フランジ部に構成され、前記フランジ部を前記床面に固定する止め具が挿入される長穴と、前記フランジ部の外周に構成され、径方向外側に開放されると共に径方向に長尺とされ、前記止め具が挿入されるスリットと、前記長穴に挿入された止め具の長手方向への移動を規制する長穴用移動規制部材と、を備えている。
【０００７】
請求項１に記載の床固定用管継手では、フランジ部の板面を床面に当接させ、長穴及びスリットに止め具を挿入して、この止め具によりフランジ部を床面に固定する。
【０００８】
本発明では、丸穴ではなく、長穴及びスリットに止め具を挿入するので、止め具の長穴及びスリット内での位置にある程度の自由度をもたせることができ、施工が行いやすくなる。また、床穴の位置に対する止め具の位置にも自由度があるため、床穴の大きさなどに応じて止め具の位置を調整することにより、確実に固定を行うことができる。
【０００９】
さらに、少なくとも１つの長穴を有しているので、すべてをスリットで構成する場合と比較して、より確実に固定を行うことができる。
また、長穴用移動規制部材を備えることにより、固定後の長穴内における止め具のガタツキを防止することができる。
【００１０】
本発明の請求項２に記載の床固定用管継手は、前記スリットに挿入された止め具の長手方向への移動を規制するスリット用移動規制部材、をさらに備えている。
【００１１】
このように、スリット用移動規制部材を備えることにより、固定後のスリット内における止め具のガタツキを防止することができる。
【００１２】
本発明の請求項３に記載の床固定用管継手は、床面に固定され、床に構成された床穴を介して該床の上下で流路を連結させる床固定用管継手であって、管体が接続される、筒状の継手本体と、前記継手本体の外周から張り出し、板状とされて板面が前記床面に当接されるフランジ部と、前記フランジ部に構成され、前記フランジ部を前記床面に固定する止め具が挿入される長穴と、前記フランジ部の外周に構成され、径方向外側に開放されると共に径方向に長尺とされ、前記止め具が挿入されるスリットと、前記スリットに挿入された止め具の長手方向への移動を規制するスリット用移動規制部材と、を備えている。
【００１３】
このように、スリット用移動規制部材を備えることにより、固定後のスリット内における止め具のガタツキを防止することができる。
【発明の効果】
【００１４】
本発明に係る床固定用管継手によれば、施工が行いやすく、より確実に床面に固定することができる。
【図面の簡単な説明】
【００１５】
【図１】本発明の第１実施形態に係る床固定用管継手の分解斜視図である。
【図２】本発明の第１実施形態に係る床固定用管継手であって、管体を分離した状態を示す半裁断面図である。
【図３】本発明の第１実施形態に係る床固定用管継手の斜視図である。
【図４】本発明の第１実施形態に係る床固定用管継手であって、管体を途中まで挿入した状態を示す半裁断面図である。
【図５】本発明の第１実施形態に係る床固定用管継手であって、管体を結合した状態を示す半裁断面図である。
【図６】本発明の第１実施形態に係る床固定用管継手を床に固定して上面から見た図で、（Ａ）は床穴が中央に配置され、（Ｂ）は床穴が中央からずれて配置された状態を示す図である。
【図７】本発明の第１実施形態に係る床固定用管継手の変形例の上面図である。
【図８】本発明の第１実施形態に係る床固定用管継手の変形例の斜視図である。
【図９】本発明の第１実施形態に係る床固定用管継手の変形例の上面図である。
【図１０】本発明の第１実施形態に係る床固定用管継手の他の変形例の上面図である。
【図１１】本発明の第２実施形態に係る床固定用管継手であって、管体を分離した状態を示す半裁断面図である。
【図１２】本発明の第２実施形態に係る床固定用管継手の斜視図である。
【図１３】本発明の第２実施形態に係る床固定用管継手の長穴用規制部材の斜視図である。
【図１４】本発明の第２実施形態に係る床固定用管継手の長穴用規制部材の上面図である。
【図１５】本発明の第２実施形態に係る床固定用管継手のスリット用規制部材の斜視図である。
【図１６】本発明の第２実施形態に係る床固定用管継手のスリット用規制部材の上面図である。
【図１７】本発明の第１実施形態に係る床固定用管継手にスリット用規制部材を適用した例を示す斜視図である。
【発明を実施するための形態】
【００１６】
［第１実施形態］
以下、本発明の第１実施形態を図面に基づいて説明する。
【００１７】
図１には、本発明の実施形態に係る床固定用管継手１０の分解斜視図が示されている。また、図２には、本発明の実施形態に係る床固定用管継手１０の、管体４０を挿入する前の半裁断面図が示されている。
【００１８】
床固定用管継手１０は、管状の本体部１２と、この本体部１２に外挿される管状の中間部１４とを備えている。本体部１２と中間部１４とで継手本体１６が構成されている。さらに、床固定用管継手１０は、管状のキャップ１８を備えている。キャップ１８は、中間部１４の一端側に外挿され、係合されている。図２に示すように、中間部１４及びキャップ１８と本体部１２との間には、管体４０が挿入される挿入孔２０が構成されている。
【００１９】
キャップ１８の内側には、管体４０を挿入孔２０に保持するためのロックリング３０が配置されている。このロックリング３０は、断面が９０度回転した略Ｖ字形をなしており、略Ｖ字形の開口部側が継手本体１６の奥側（管体４０の挿入側と逆側）に向かうように配置されている。そして、ロックリング３０の開口部側が中間部１４の先端部１４Ａと対向し、略Ｖ字形の内側面の一部が先端部１４Ａに当接している。
【００２０】
ロックリング３０は、環状とされており、内周側先端の爪部３６が管体４０の外面に食い込み可能とされている。
【００２１】
キャップ１８の内壁には、ロックリング３０の略Ｖ字形の外側面が当接可能なテーパー面１８Ａが形成されている。このテーパー面１８Ａは、挿入孔２０の入口２０Ａ側に向かって縮径するように形成されている。
【００２２】
キャップ１８の内周側には、ロックリング３０よりも挿入孔２０の入口２０Ａ側に、床固定用管継手１０の軸方向に沿って移動可能な解放リング２２が内挿されている。この解放リング２２は、略筒状とされ、内壁が挿入孔２０の一部を構成している。解放リング２２の奥側外周には、周方向に突起２２Ａが形成されており、キャップ１８の内周に形成された小径部１８Ｂに当接することで、キャップ１８からの抜けが防止されている。突起２２Ａの先端部２２Ｂは先細りとなるテーパー形状とされ、ロックリング３０の径方向内側の外周面に沿って配置されている。本体部１２には、挿入孔２０に面した外周面に２つの周溝１２Ａが形成されており、これらの周溝１２Ａにそれぞれゴム製、環状の止水リング２４が嵌め込まれている。
【００２３】
本体部１２の周溝１２Ａよりも奥側で挿入孔２０の最奥部には、外径が拡径された壁面１３が形成されている。この壁面１３に管体４０の先端が当接し、壁面１３は管体４０のストッパーになっている。また、本体部１２の挿入孔２０と反対側には、他の配管が接続される雌ネジ１２Ｂが形成されている。また、本体部１２の挿入孔２０と反対側の端部（他端側）には、床との接続のためのフランジ部５０が形成されている。フランジ部５０の詳細については、後述する。
【００２４】
この床固定用管継手１０では、本体部１２は青銅製、中間部１４、キャップ１８及び解放リング２２は樹脂製、ロックリング３０はステンレス製とすることができる。なお、床固定用管継手１０の各部材はこれらの材質に限定するものではなく、他の材質でも構わない。また、管体４０は樹脂製である。なお、管体４０は樹脂製に限らず、ゴム製、金属製（ロックリング３０の爪部３６が食い込み可能な金属材）、又はその他の材質としてもよい。
【００２５】
図３には、図１に示す床固定用管継手１０のフランジ部５０側から見た斜視図が示されている。フランジ部５０は、円板形状とされ、本体部１２の他端部の外周から径方向外側に張り出すように形成されている。フランジ部５０は本体部１２側の板面（下面５０Ｂ）が後述する床４４の床面４４Ａ上に載置され、外側（本体部１２から遠い側）の板面（上面５０Ａ）が、外向き（上向き）に配置される。
【００２６】
フランジ部５０には、このフランジ部５０を床４４の床面４４Ａに固定するための長穴５２、及び、スリット５４、５６が構成されている。長穴５２、スリット５４、５６は、各々、フランジ部５０の中心から周方向に中心角１２０°の間隔をもった位置に構成されている。スリット５４、５６は、径方向外側に開放されている。
【００２７】
長穴５２は、径方向と直交する方向に長尺とされ、穴部５２Ａ、及び、テーパ部５２Ｂで構成されている。穴部５２Ａは、後述する止め具４６のネジ部４６Ｂを挿通可能とされており、テーパ部５２Ｂは、後述する止め具４６のネジ頭部４６Ａを収納可能なテーパ形状とされている。
【００２８】
スリット５４は、切欠部５４Ａ、及び、テーパ部５４Ｂで構成されている。切欠部５４Ａは、径方向に長尺とされ、径方向外側が開放されている。スリット５４の切欠部５４Ａには、止め具４６のネジ部４６Ｂを挿通可能とされており、テーパ部５４Ｂは、後述する止め具４６のネジ頭部４６Ａを収納可能なテーパ形状とされている。
【００２９】
なお、スリット５６の形状は、スリット５４と同様であり、スリット５４の切欠部５４Ａ、及び、テーパ部５４Ｂに対応した、切欠部５６Ａ、及び、テーパ部５６Ｂで構成されている。
【００３０】
フランジ部５０は、止め具４６によって、床４４に固定される。止め具４６には、図３に示すように、ネジ頭部４６Ａ及びネジ部４６Ｂで構成されている。止め具４６は、ネジ部４６Ｂを床４４へねじ込み可能なタッピングねじで、いわゆる皿ビスとされている。長穴５２では、止め具４６のネジ部４６Ｂが長穴５２の穴部５２Ａに挿入され、ネジ頭部４６Ａの下面（テーパ面）がテーパ部５２Ｂに当接される。スリット５４、５６では、止め具４６のネジ部４６Ｂが切欠部５４Ａ、５６Ａに挿入され、ネジ頭部４６Ａの下面（テーパ面）がテーパ部５４Ｂ、５６Ｂに当接される。このようにして、止め具４６により、フランジ部５０が床４４に固定される。
【００３１】
次に、床固定用管継手１０の床４４への取り付けについて説明する。
まず、床下の管体４０の先端を床穴４４Ｈから床上へ取り出す。床穴４４Ｈは、予め必要な位置に構成されており、床穴４４Ｈの径は、床固定用管継手１０のキャップ１８の最大外径（床固定用管継手１０のフランジ部５０を除いた最も大径の部分）よりも大きく、フランジ部５０の外径よりも小さくなっている。
【００３２】
次に、床固定用管継手１０へ管体４０を接続する。管体４０の先端部を、床固定用管継手１０の挿入孔２０に挿入すると、図４に示されるように、管体４０の先端がロックリング３０を拡径する。そして、管体４０の外周面がロックリング３０の爪部３６を摺接しながら管体４０が奥側へ挿入され、管体４０の内周面が止水リング２４に接触する。管体４０が更に挿入されると、管体４０の先端が本体部１２の壁面１３に到達する。
【００３３】
図４に示す装着状態において、管体４０に内圧が作用すると、管体４０が継手本体１６から抜ける方向の力を受ける。これによって、管体４０及びロックリング３０が挿入孔２０から抜ける方向に若干移動し、ロックリング３０のリング部３１の外周側がキャップ１８のテーパー面１８Ａに当たる。これによって、図５に示されるように、ロックリング３０の爪部３６が管体４０の外周側に食い込む。このとき、ロックリング３０の爪部３６は、継手本体１６の奥側に向けて傾斜しているので、管体４０に食い込みやすく、かつ、爪部３６が管体４０の抜け出し方向と逆方向を向いており、管体４０が抜けにくくなる。
【００３４】
次に、管体４０を床穴４４Ｈから床下へ戻すと共に、管体４０の接続された床固定用管継手１０の本体部１２を床穴４４Ｈに挿通させて、フランジ部５０の下面５０Ｂを床面４４Ａ上に載置する。そして、止め具４６を長穴５２の穴部５２Ａに挿入して、ネジ頭部４６Ａの下面（テーパ面）がテーパ部５２Ｂに突き当たるまで、ネジ部４６Ｂを床４４にねじ込む。
【００３５】
また、止め具４６をスリット５４、５６の切欠部５４Ａ、５６Ａに挿入して、ネジ頭部４６Ａの下面（テーパ面）がテーパ部５４Ｂ、５６Ｂに突き当たるまで、ネジ部４６Ｂを床４４にねじ込む。このとき、フランジ部５０は、図６（Ａ）に示すように、平面視で長穴５２の穴部５２Ａ及びスリット５４、５６の切欠部５４Ａ、５６Ａと床穴４４Ｈとが重ならない位置に配置されることが好ましい。但し、床面４４Ａ上に存する障害物や、床穴４４Ｈの形状などにより、平面視で長穴５２及びスリット５４、５６と重なってしまう場合には、図６（Ｂ）に示すように、長穴５２内、もしくは、５４、５６内で、止め具４６の位置を変えることにより、床穴４４Ｈによって止め具４６がねじ込めないという事態を回避することができる。
【００３６】
本実施形態の床固定用管継手１０によれば、フランジ部５０に構成された固定用の穴である長穴５２、及び、スリット５４、５６が、円形ではなく長尺とされているので、止め具４６の固定位置の自由度が高くなる。したがって、床穴４４Ｈの大きさや形状などに応じて、止め具４６の位置を調整することにより、フランジ部５０を確実に床４４に固定することができる。
【００３７】
さらに、すべての固定用の穴を径方向外側に開放されたスリットで構成するのではなく、径方向外側に開放されていない長穴５２を有しているので、より確実に固定を行うことができる。
【００３８】
なお、本実施形態のフランジ部５０は、図７（Ａ）に示すように、フランジ部５０の外径を小さくして、長穴５２、スリット５４、５６に対応する部分のみを、径方向外側に突出させる構成とすることもできる。
【００３９】
また、図７（Ｂ）に示すように、長穴５２の長尺方向を、径方向にすることもできる。
【００４０】
また、本実施形態では、フランジ部５０が円板状のものを例に説明したが、フランジ部は、図８に示すように、四角板状のフランジ部５８としてもよい。この場合には、１つの角部に長穴５２を構成し、他の角部にスリット５４を構成して、前述の場合と同様に固定することができる（図９（Ａ）（Ｂ）参照）。
【００４１】
また、四角板状のフランジ部５８とした場合に、図１０（Ａ）に示すように、長穴５２の長尺方向を、径方向にすることもできる。
【００４２】
また、図１０（Ｂ）に示すように、対角線上に配置される２つの角部に、長穴５２とスリット５４を構成して、固定用の穴を２つにすることもできる。
【００４３】
［第２実施形態］
本実施形態の床固定用管継手６０は、フランジ部５０に、長穴用移動規制部材６２、及び、スリット用移動規制部材７２が構成されている点、テーパ部５２Ｂ、５４Ｂ、５６Ｂが段差によって構成される座ぐり５２Ｚ、５４Ｚ、及び５６Ｚとなっている点、及び、止め具４６が皿ビスではなく、なべビスである点が、第１実施形態と異なり、その他の構成については、第１実施形態の床固定用管継手１０と同様である。本実施形態では、長穴用移動規制部材６２、スリット用移動規制部材７２、及び、座ぐり５２Ｚ、５４Ｚ、及び５６Ｚの詳細についてのみ説明する。
【００４４】
本実施形態では、図１１及び図１２に示すように、第１実施形態の長穴５２のテーパ部５２Ｂに代えて座ぐり５２Ｚが構成されている。座ぐり５２Ｚは、長方形状とされ、所定の深さの段差部とされている。また、第１実施形態のスリット５４、５６のテーパ部５４Ｂ、５６Ｂに代えて座ぐり５４Ｚ、５６Ｚが構成されている。さらに、止め具４６のネジ頭は、ネジ頭部４６Ａに代えて、なべビスのネジ頭４６Ｎとされている。
【００４５】
図１３に示すように、長穴用移動規制部材６２は、長穴５２に配置されている。長穴用移動規制部材６２は、ガイド部材６４及びスライド部材６６で構成されている。ガイド部材６４は、長穴５２の座ぐり部５２Ｚに設けられている。ガイド部材６４は、穴部５２Ａの長手方向の両外側に沿って一対で２組配置されている。一対のガイド部材６４の両側には、後述するシャッタ部材６６が係合可能で後退方向への移動を規制する係合溝６４Ａが構成されている。係合溝６４Ａの側壁は、ジグザグ形状とされている。
【００４６】
シャッタ部材６６は、板状とされ、長穴５２の座ぐり部５２Ｚに設けられている。シャッタ部材６６は、座ぐり部５２Ｚの長手方向の両端に一枚ずつ配置された一対のシャッタ部材６６Ａ、６６Ｂで構成されている。図１４に示すように、シャッタ部材６６の両端辺側には、係合溝６４Ａに係合可能な係合突部６６Ｋが形成されている。係合突部６６Ｋは、ジグザグの係合溝６４Ａに係合され、シャッタ部材６６Ａ、６６Ｂの各々が近づく方向にのみ移動可能としている。
【００４７】
スリット用移動規制部材７２は、スリット５４、５６に配置されている。座ぐり５４Ｚ、５６Ｚは、所定の深さの段差部とされている。スリット５４、５６のいずれのスリット用移動規制部材７２も同一構成であるので、ここでは、スリット５４に配置されたスリット用移動規制部材７２を例に説明する。
【００４８】
図１５に示すように、スリット用移動規制部材７２は、複数の挿入穴７４、及び、一対のピン７６Ａ、７６Ｂで構成されている。挿入穴７４は、座ぐり部５４Ｚに、切欠部５４Ａの両外側に長手方向に沿って配置されている。ピン７６Ａ、７６Ｂは両端が屈曲したコ字状とされ、切欠部５４Ａの短手方向を跨いで両端が挿入穴７４に挿入可能とされている。
【００４９】
次に、本実施形態の床固定用管継手６０の床４４への固定について説明する。
まず、第１実施形態と同様にして管体４０を接続し、フランジ部５０の下面５０Ｂを床面４４Ａ上に載置する。そして、止め具４６を長穴５２の穴部５２Ａに挿入して、ネジ頭部４６Ａの下面が座ぐり部５２Ｚに突き当たるまで、ネジ部４６Ｎを床４４にねじ込む。そして、図１４に示すように、長穴５２のシャッタ部材６６Ａ、６６Ｂを、係合溝６４Ａに沿って移動させて、止め具４６に当たる位置に配置する。これにより、止め具４６の穴部５２Ａ内の長手方向の移動が規制される。
【００５０】
また、止め具４６をスリット５４、５６の切欠部５４Ａ、５６Ａに挿入して、ネジ頭部４６Ｎの下面が座ぐり部５４Ｚ、５６Ｂに突き当たるまで、ネジ部４６Ｎを床４４にねじ込む。そして、図１６に示すように、穴５２のピン７６Ａ、７６Ｂを、ネジ頭部４６Ａに最も近い挿入穴７４に差し込む。これにより、止め具４６の切欠部５４Ａ内の長手方向の移動が規制される。
【００５１】
本実施形態の床固定用管継手１０によれば、フランジ部５０に構成された固定用の穴である長穴５２、及び、スリット５４、５６に挿入された止め具４６が、長穴用移動規制部材６２、スリット用移動規制部材７２によって長手方向の移動が規制されるので、止め具４６のガタツキを防止することができる。
【００５２】
なお、本実施形態では、長穴５２及びスリット５４、５６に座ぐり５２Ｚ、５４Ｚ、５６Ｚを設けた例について説明したが、第１実施形態のように、テーパ部５２Ｂ、５４Ｂ、５６Ｂを設けた場合にも、止め具４６の長手方向の移動を規制することもできる。この場合には、図１７に示すように、挿入穴７４をフランジ部５０の上面５０Ａに構成し、ピン７６Ａ、７６Ｂに代えて、テーパ部５４Ｂに沿った形状のピン７６ＡＴ、７６ＢＴを用いる。
【００５３】
以上、実施形態を挙げて本発明の実施の形態を説明したが、これらの実施形態は一例であり、要旨を逸脱しない範囲内で種々変更して実施できる。
【符号の説明】
【００５４】
１０   床固定用管継手
１２   本体部
１４   中間部
１６   継手本体
１８   キャップ
４０   管体
４４   床
４４Ｈ 床穴
４６   止め具
５０   フランジ部
５２   長穴
５４   スリット
５６   スリット
５８   フランジ部
６０   床固定用管継手
６２   長穴用移動規制部材
６４   ガイド部材
６６   シャッタ部材
７２   スリット用移動規制部材
７４   挿入穴
７６Ａ  ピン
７６Ｂ  ピン
【図１】
0005542429.tif 000002
【図２】
0005542429.tif 000003
【図３】
0005542429.tif 000004
【図４】
0005542429.tif 000005
【図５】
0005542429.tif 000006
【図６】
0005542429.tif 000007
【図７】
0005542429.tif 000008
【図８】
0005542429.tif 000009
【図９】
0005542429.tif 000010
【図１０】
0005542429.tif 000011
【図１１】
0005542429.tif 000012
【図１２】
0005542429.tif 000013
【図１３】
0005542429.tif 000014
【図１４】
0005542429.tif 000015
【図１５】
0005542429.tif 000016
【図１６】
0005542429.tif 000017
【図１７】
0005542429.tif 000018